(57)【要約】【課題】被印刷物の変形を抑制しつつ、高画質化を可能にする電子写真プリンタ及び印刷方法を提供する。【解決手段】電子写真プリンタ１０は、第１色印刷部２０を含む。第１色印刷部２０は、トナー現像部２６と、トナー画像転写部２８と、紫外線照射乾燥部２９と、を有する。トナー現像部２６は、紫外線を吸収する紫外線吸収剤を含む液体トナー２６ａを電荷潜像２４ａに吸着させて、トナー画像２６ｂを現像する。トナー画像転写部２８は、トナー画像２６ｂを被印刷物１２に転写してトナー画像２６ｃとする。紫外線照射乾燥部２９は、被印刷物１２に転写されたトナー画像２６ｃに紫外線を照射して乾燥させて、乾燥トナー画像２６ｄとする。【選択図】図１
2019020630.tif 000002
【特許請求の範囲】
【請求項１】
紫外線を吸収する紫外線吸収剤を含む液体トナーを電荷潜像に吸着させることでトナー画像を現像するトナー現像部と、
前記トナー現像部で現像された前記トナー画像を被印刷物に転写するトナー画像転写部と、
前記紫外線を照射することで前記被印刷物に転写された前記トナー画像を乾燥させる紫外線照射乾燥部と、
を有することを特徴とする電子写真プリンタ。
【請求項２】
前記トナー現像部、前記トナー画像転写部及び前記紫外線照射乾燥部は、それぞれ色ごとに複数有し、
前記被印刷物の上で色ごとに前記トナー画像を順次乾燥させることで、前記被印刷物の上に、複数種類の色の乾燥した前記トナー画像を複合させた複合乾燥トナー画像を形成する、
ことを特徴とする請求項１に記載の電子写真プリンタ。
【請求項３】
前記複合乾燥トナー画像が形成された前記被印刷物を加熱することで、前記被印刷物の上に前記複合乾燥トナー画像を定着させる定着部と、
をさらに含むことを特徴とする請求項２に記載の電子写真プリンタ。
【請求項４】
紫外線を吸収する紫外線吸収剤を含む液体トナーを吸着させてトナー画像を現像するトナー現像ステップと、
前記トナー現像ステップで現像された前記トナー画像を被印刷物に転写するトナー画像転写ステップと、
前記被印刷物に転写された前記トナー画像に向けて前記紫外線を照射することで前記トナー画像を乾燥させる紫外線照射乾燥ステップと、
をそれぞれ色ごとに複数含み、
前記被印刷物の上で色ごとに前記トナー画像を順次乾燥させることで、前記被印刷物の上に、複数種類の色の乾燥した前記トナー画像を複合させた複合乾燥トナー画像を形成する、
ことを特徴とする印刷方法。
【請求項５】
前記複合乾燥トナー画像が形成された被印刷物を加熱することで、前記被印刷物の上に前記複合乾燥トナー画像を定着させる定着ステップと、
をさらに含むことを特徴とする請求項４に記載の印刷方法。
【発明の詳細な説明】
【技術分野】
【０００１】
本発明は、電子写真プリンタ及び印刷方法に関する。
【背景技術】
【０００２】
用紙等の被印刷物に画像を印刷する印刷方法として、電子写真方式が知られている（例えば、特許文献１）。電子写真方式は、感光体の表面にトナーを供給して現像した画像を被印刷物に転写することで印刷する方式である。
【先行技術文献】
【特許文献】
【０００３】
【特許文献１】特開２０１０−０７６３３４号公報
【発明の概要】
【発明が解決しようとする課題】
【０００４】
特許文献１に記載の印刷方法は、乾式の電子写真方式を用いている。乾式の電子写真方式の印刷で用いられるトナーは、一般に紛体のトナーである。紛体のトナーは、一般に、顔料成分を粉砕して製造される。このため、紛体のトナーは、平均粒径が５．５μｍ程度と比較的大きく、球形度が低い形状を有する。このため、特許文献１に記載の印刷方法では、高画質化が困難であるという問題があった。
【０００５】
また、特許文献１に記載の印刷方法は、乾式の電子写真方式で印刷する前に、オフセット方式で印刷をしており、オフセット方式で印刷をする際に、インクを付着させない領域に水を染み込ませる。このため、特許文献１に記載の印刷方法は、被印刷物に水を染み込ませている。このとき、特許文献１に記載の印刷方法は、被印刷物の変形を抑えるために、被印刷物に染み込んだ水の蒸発、及び、トナーへの熱エネルギーの供給が過剰にならないように抑えている。仮に、被印刷物に染み込んだ水の蒸発、及び、トナーへの熱エネルギーの供給が過剰になった場合、被印刷物が変形してしまい、画質が低減する可能性があった。また、被印刷物が変形することに伴い、紙ジャム等の不具合が生じてしまう可能性があった。
【０００６】
そこで、本発明は、上記に鑑みてなされたものであって、被印刷物の変形を抑制しつつ、高画質化を可能にする電子写真プリンタ及び印刷方法を提供することを目的とする。
【課題を解決するための手段】
【０００７】
上述した課題を解決し、目的を達成するために、本発明の電子写真プリンタは、紫外線を吸収する紫外線吸収剤を含む液体トナーを電荷潜像に吸着させることでトナー画像を現像するトナー現像部と、前記トナー現像部で現像された前記トナー画像を被印刷物に転写するトナー画像転写部と、前記紫外線を照射することで前記被印刷物に転写された前記トナー画像を乾燥させる紫外線照射乾燥部と、を有することを特徴とする。
【０００８】
この構成において、前記トナー現像部、前記トナー画像転写部及び前記紫外線照射乾燥部は、それぞれ色ごとに複数有し、前記被印刷物の上で色ごとに前記トナー画像を順次乾燥させることで、前記被印刷物の上に、複数種類の色の乾燥した前記トナー画像を複合させた複合乾燥トナー画像を形成することが好ましい。
【０００９】
トナー現像部、トナー画像転写部及び紫外線照射乾燥部がそれぞれ色ごとに複数有する構成において、前記複合乾燥トナー画像が形成された前記被印刷物を加熱することで、前記被印刷物の上に前記複合乾燥トナー画像を定着させる定着部と、をさらに含むことが好ましい。
【００１０】
また、上述した課題を解決し、目的を達成するために、本発明の印刷方法は、紫外線を吸収する紫外線吸収剤を含む液体トナーを吸着させてトナー画像を現像するトナー現像ステップと、前記トナー現像ステップで現像された前記トナー画像を被印刷物に転写するトナー画像転写ステップと、前記被印刷物に転写された前記トナー画像に向けて前記紫外線を照射することで前記トナー画像を乾燥させる紫外線照射乾燥ステップと、をそれぞれ色ごとに複数含み、前記被印刷物の上で色ごとに前記トナー画像を順次乾燥させることで、前記被印刷物の上に、複数種類の色の乾燥した前記トナー画像を複合させた複合乾燥トナー画像を形成する、ことを特徴とする。
【００１１】
この構成において、前記複合乾燥トナー画像が形成された被印刷物を加熱することで、前記被印刷物の上に前記複合乾燥トナー画像を定着させる定着ステップと、をさらに含むことが好ましい。
【発明の効果】
【００１２】
本発明によれば、被印刷物の変形を抑制しつつ、高画質化を可能にする電子写真プリンタ及び印刷方法を提供することができる。
【図面の簡単な説明】
【００１３】
【図１】図１は、実施形態に係る電子写真プリンタの概略構成を示す概略構成図である。
【図２】図２は、実施形態に係る電子写真プリンタの紫外線照射乾燥部の概略構成を示す概略構成図である。
【図３】図３は、実施形態に係る電子写真プリンタの紫外線照射乾燥部及び定着部の概略構成を示す概略構成図である。
【図４】図４は、実施形態に係る印刷方法を示すフローチャートである。
【発明を実施するための形態】
【００１４】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。さらに、以下に記載した構成要素は適宜組み合わせることが可能であり、また、実施形態が複数ある場合には、各実施形態を組み合わせることも可能である。
【００１５】
［実施形態］
図１は、実施形態に係る電子写真プリンタ１０の概略構成を示す概略構成図である。電子写真プリンタ１０は、図１に示すように、第１色印刷部２０と、第２色印刷部３０と、第３色印刷部４０と、第４色印刷部５０と、定着部６０を、を含む。電子写真プリンタ１０は、メディアとしての被印刷物１２の搬送経路における上流側から下流側に向かって、第１色印刷部２０、第２色印刷部３０、第３色印刷部４０、第４色印刷部５０及び定着部６０が順次、被印刷物１２の被印刷面に向けて配置されている。被印刷物１２は、図示しない搬送装置により、所定の搬送経路を搬送される。
【００１６】
第１色印刷部２０は、被印刷物１２に第１色の画像を印刷する。第２色印刷部３０は、第１色の画像が印刷された被印刷物１２に第２色の画像を印刷する。第３色印刷部４０は、第１色の画像及び第２色の画像が印刷された被印刷物１２に第３色の画像を印刷する。第４色印刷部５０は、第１色の画像、第２色の画像及び第３色の画像が印刷された被印刷物１２に第４色の画像を印刷する。定着部６０は、被印刷物１２に順次印刷された第１色、第２色、第３色及び第４色の画像を、被印刷物１２に定着させる。このように、電子写真プリンタ１０は、第１色印刷部２０、第２色印刷部３０、第３色印刷部４０及び第４色印刷部５０により順次、第１色、第２色、第３色及び第４色の画像を被印刷物１２に印刷して、すなわち色順次印刷をして、定着部６０により、被印刷物１２に印刷した画像を定着して、印刷物７０を得る印刷装置である。
【００１７】
電子写真プリンタ１０は、第１色、第２色、第３色及び第４色の組み合わせが、Ｃ（Cyan、シアン）、Ｍ（Magenta、マゼンダ）、Ｙ（Yellow、黄色）及びＫ（blacK、黒）である形態が例示される。電子写真プリンタ１０は、第１色、第２色、第３色及び第４色の組み合わせが、透明性が低い順に異なる色となっていることが好ましい。なお、電子写真プリンタ１０は、第１色、第２色、第３色及び第４色の組み合わせが、ＹＭＣＫに限定されず、その他の組み合わせ、例えば、Ｒ（Red、赤）、Ｇ（Green、緑）及びＢ（Blue、青）を含む形態であってもよい。
【００１８】
次に、図１を参照して、第１色印刷部２０について説明する。なお、第１色印刷部２０は、第２色印刷部３０、第３色印刷部４０及び第４色印刷部５０とほぼ同様の構成である。このため、第２色印刷部３０、第３色印刷部４０及び第４色印刷部５０については、異なる部分のみについて説明し、同一の部分については説明を省略する。
【００１９】
第１色印刷部２０は、図１に示すように、電子写真感光体２２と、帯電部２３と、画像露光部２４と、トナー現像部２６と、トナー画像転写部２８と、紫外線照射乾燥部２９とを有する。
【００２０】
電子写真感光体２２は、円筒状のドラムであり、その軸方向が、被印刷物１２の搬送方向に直交し、被印刷物１２の幅方向に平行な方向に沿って配置されている。すなわち、電子写真感光体２２は、所定の位置において、外周面が、搬送される被印刷物１２の被印刷面と対向している。電子写真感光体２２は、軸周りの所定の方向に、すなわち図１に示す時計回りの方向に、回転可能なように回転駆動部が設けられている。以下において、適宜、電子写真感光体２２の反時計回りの方向を逆回転方向と称し、電子写真感光体２２の時計回りの方向を正回転方向と称する。
【００２１】
電子写真感光体２２は、外周面が搬送される被印刷物１２の被印刷面と対向している所定の位置に、後述するトナー画像転写部２８が被印刷物１２を介して対向して設けられ、その所定の位置から正回転方向へ向かって、後述する帯電部２３、画像露光部２４及びトナー現像部２６が順次対向して設けられている。すなわち、電子写真感光体２２は、帯電部２３、画像露光部２４、トナー現像部２６及びトナー画像転写部２８が対向して設けられている位置を、順次繰り返し通過するように回転する。
【００２２】
電子写真感光体２２は、放電されることで帯電する。また、電子写真感光体２２は、帯電した電荷を光による光導電性により、電荷の帯電量を制御することができる。電子写真感光体２２は、有機または無機の光導電性絶縁物からなるもの等が例示される。
【００２３】
帯電部２３は、電子写真感光体２２の外周面の、電子写真感光体２２が被印刷物１２と対向する位置よりも正回転方向の位置に対向して設けられている。帯電部２３は、放電を起こす部材であり、コロナ放電を起こす放電ワイヤー等が例示される。
【００２４】
帯電部２３は、電子写真感光体２２の外周面に向けて放電を起こすことで、電子写真感光体２２の外周面を帯電させる。すなわち、帯電部２３は、電子写真感光体２２の外周面に向けて放電を起こすことで、電子写真感光体２２の外周面に帯電電荷２３ａを付加する。帯電部２３は、電子写真感光体２２の外周面において、帯電部２３が設けられた位置よりも正回転方向を、帯電電荷２３ａが付加された状態とする。なお、帯電電荷２３ａの極性は、使用する電子写真感光体２２に応じて、適宜選択される。
【００２５】
画像露光部２４は、電子写真感光体２２の外周面の、電子写真感光体２２が帯電部２３と対向する位置よりも正回転方向の位置に対向して設けられている。画像露光部２４は、図示しない制御部が電気的に接続されており、制御部から、フルカラーの画像データに含まれる第１色の画像部分のデータを受信する。画像露光部２４は、制御部から受信した第１色の画像部分のデータに基づいて、露光光を照射する部材であり、半導体レーザ及びＬＥＤアレイ等が例示される。
【００２６】
画像露光部２４は、帯電部２３により帯電電荷２３ａが付加された状態となった電子写真感光体２２の外周面に露光光を照射することで、電子写真感光体２２の外周面に、第１色の画像部分にデータに基づく電荷潜像２４ａを形成する。画像露光部２４は、電子写真感光体２２の外周面において、画像露光部２４が設けられた位置よりも正回転方向を、電荷潜像２４ａが形成された状態とする。
【００２７】
トナー現像部２６は、電子写真感光体２２の外周面の、電子写真感光体２２が画像露光部２４と対向する位置よりも正回転方向の位置に対向して設けられている。トナー現像部２６は、内部の空間に第１色の液体トナー２６ａを貯留している。トナー現像部２６は、貯留している液体トナー２６ａを電子写真感光体２２の外周面に向けて静電吸着させる静電吸着機構を有する。
【００２８】
トナー現像部２６は、画像露光部２４により電子写真感光体２２の外周面に形成された電荷潜像２４ａに液体トナー２６ａを静電吸着させることで、液体トナー２６ａに基づく第１色のトナー画像２６ｂを現像する。トナー現像部２６は、本実施形態では反転現像をするが、本発明はこれに限定されることなく、正規現像であってもよい。また、トナー現像部２６は、直流のバイアス電圧をかけることで現像しても、交流のバイアス電圧をかけることで現像してもよい。トナー現像部２６は、電子写真感光体２２の外周面において、トナー現像部２６が設けられた位置よりも正回転方向を、トナー画像２６ｂが現像された状態とする。
【００２９】
液体トナー２６ａは、第１色を発色する着色インクと、紫外線吸収剤と、溶媒と、分散剤とを含む。液体トナー２６ａは、第１色を発色する着色インク及び紫外線吸収剤が、分散剤によって溶媒中に分散されたものである。液体トナー２６ａは、着色インクの固形成分の粒子の平均粒径が２．０μｍ以下であり、１．５μｍ以下であることが好ましく、１．０μｍ以下であることがより好ましい。また、液体トナー２６ａは、全ての光の吸収エネルギー量に対する紫外線吸収帯域における光の吸収エネルギー量の割合である紫外線吸収率が、一層の厚みのトナー層で、７０％以上であり、８０％以上であることが好ましく、９０％以上であることがより好ましい。
【００３０】
なお、液体トナー２６ａは、表面張力または粘度の調整のために、溶剤などの調整剤が更に添加されてもいい。また、液体トナー２６ａは、酸化ケイ素粉末等の外添剤が更に添加されてもいい。また、液体トナー２６ａは、可視光領域に大きな吸収帯域を有さない、すなわちバンドギャップが３．１ｅＶ以上である、酸化亜鉛等の金属酸化物または金属硫化物の半導体または絶縁体が、吸収した紫外線から可視光または赤外線への変換効率が悪く、かつ、吸収した紫外線の大部分を熱に変換できる特長を有するものである場合、平均粒径が３００ｎｍ以下であれば、更に添加されてもいい。
【００３１】
着色インクは、白色インク、シアン（Ｃ）、マゼンダ（Ｍ）、イエロー（Ｙ）及び黒色（Ｋ）等のインクが例示される。また、着色インクは、透明インクが合わせて用いられていても良く、透明インクは、クリアインク等の特色の色材が例示される。着色インクは、これに限定されず、赤（Ｒ）、緑（Ｇ）、青（Ｂ）のインク、及びパールまたはメタリック等の特色インク等々が用いられてもよい。着色インクは、少なくとも１色以上の色数をもたらすものであれば、特定の色に限定されない。液体トナー２６ａに使用する着色インクは、第１色を発色する着色インクが単独で用いられるか、または、第１色を発色するように、着色インクまたは透明インクが組合わされて用いられる。
【００３２】
紫外線吸収材は、アセトフェミノン系紫外線吸収剤、α−アミノアセトフェノン系紫外線吸収剤、アシルフォスフィンオキサイドラジカル系紫外線吸収剤、Ｏ−アシルオキシム系紫外線吸収剤、チタノセン型紫外線吸収剤、２分子反応型紫外線吸収剤等のラジカル型紫外線吸収剤、さらにはカチオン型紫外線吸収剤等が例示される。紫外線吸収剤は、可視光領域の吸収が色材の発色を阻害しない程度に小さく、紫外光領域の吸収が出来るだけ大きなものが好ましい。また、紫外線吸収剤は、瞬間加熱の時の熱に対して化学的及び色彩的に安定なものが好ましい。また、紫外線吸収剤は、紫外線吸収帯域の波長が４００ｎｍ以下に有効な吸収帯を有し、３８５ｎｍ以下に有効な吸収帯を有することが好ましく、３６５ｎｍ以下に有効な吸収帯を有することがより好ましい。
【００３３】
溶媒は、プロピレングリコールモノメチルエーテル、エチレングリコールモノメチルエーテルアセテート、エチレングリコールモノエチルエーテルアセテート、エチレングリコールモノブチルエーテルアセテート、ジエチレングリコールモノメチルエーテルアセテート、ジエチレングリコールモノエチルエーテルアセテート、ジエチレングリコールモノブチルエーテルアセテート、プロピレングリコールモノメチルエーテルアセテート、ジプロピレングリコールモノメチルエーテルアセテート、エチレングリコールモノメチルエーテルプロピオネート、エチレングリコールモノエチルエーテルプロピオネート、エチレングリコールモノブチルエーテルプロピオネート、ジエチレングリコールモノメチルエーテルプロピオネート、ジエチレングリコールモノエチルエーテルプロピオネート、ジエチレングリコールモノブチルエーテルプロピオネート、プロピレングリコールモノメチルエーテルプロピオネート、ジプロピレングリコールモノメチルエーテルプロピオネート、エチレングリコールモノメチルエーテルブチレート、エチレングリコールモノエチルエーテルブチレート、エチレングリコールモノブチルエーテルブチレート、ジエチレングリコールモノメチルエーテルブチレート、ジエチレングリコールモノエチルエーテルブチレート、ジエチレングリコールモノブチルエーテルブチレート、プロピレングリコールモノメチルエーテルブチレート、ジプロピレングリコールモノメチルエーテルブチレート等のグリコールエーテル類、グリコールエーテルアセテート類等が例示される。
【００３４】
また、溶媒は、ｎ−ヘキサン、ｎ−ヘプタン、ｎ−オクタン、イソオクタン、シクロヘキサン、メチルシクロヘキサン、ベンゼン、トルエン、ｏ−キシレン、ｍ−キシレン、ｐ−キシレン、エチルベンゼン等に例示される炭化水素系溶媒であってもよい。また、溶媒は、ギ酸プロピル、ギ酸−ｎ−ブチル、ギ酸イソブチル、ギ酸アミル、酢酸エチル、酢酸−ｎ−プロピル、酢酸イソプロピル、酢酸−ｎ−ブチル、酢酸イソブチル、酢酸第二ブチル、酢酸−ｎ−アミル、酢酸イソアミル、酢酸メチルイソアミル、酢酸第二ヘキシル、プロピオン酸メチル、プロピオン酸エチル、プロピオン酸−ｎ−ブチル、酪酸メチル、酪酸エチル、乳酸メチル、γ−ブチロラクトン等に例示されるエステル系溶媒であってもよい。また、溶媒は、メチルエチルケトン、メチル−ｎ−プロピルケトン、メチル−ｎ−ブチルケトン、メチルイソブチルケトン、ジエチルケトン、エチル−ｎ−ブチルケトン、ジ−ｎ−プロピルケトン、メシチルオキシド等に例示されるケトン系溶媒であってもよい。
【００３５】
溶媒は、いずれも、加熱されることで蒸発するものが好ましい。また、溶媒は、可視光領域の吸収が色材の発色を阻害しない程度に小さく、瞬間加熱の時の熱に対して化学的及び色彩的に安定なものが好ましい。
【００３６】
分散剤は、高分子型分散剤、親水性基と疎水性基とを有する界面活性剤等が例示される。高分子型分散剤は、非水系界面活性剤、水系界面活性剤、両用界面活性剤等が例示される。非水系界面活性剤は、不飽和ポリカルボン酸、不飽和ポリカルボン酸ポリアミド等が例示される。水系界面活性剤は、ポリカルボン酸アルキルアミン塩、ノニオン系界面活性剤等が例示される。親水性基と疎水性基とを有する界面活性剤は、陰イオンタイプ表面活性剤、陽イオンタイプ表面活性剤、非イオンタイプ表面活性剤、両イオンタイプ表面活性剤等が例示される。分散剤は、可視光領域の吸収が色材の発色を阻害しない程度に小さく、瞬間加熱の時の熱に対して化学的及び色彩的に安定なものが好ましい。
【００３７】
トナー画像転写部２８は、電子写真感光体２２の外周面の、電子写真感光体２２がトナー現像部２６と対向する位置よりも正回転方向の位置であり、電子写真感光体２２の外周面が、搬送される被印刷物１２の被印刷面と対向している所定の位置に、被印刷物１２の被印刷面とは反対側に対向して設けられている。すなわち、トナー画像転写部２８は、電子写真感光体２２とともに、被印刷物１２を挟み込むように設けられている。トナー画像転写部２８は、帯電部２３とは異なる極性の電圧を印加する電圧印加部を有する。
【００３８】
トナー画像転写部２８は、コロナ放電電圧及びローラ印加電圧等に例示される電圧を印加することで、電子写真感光体２２の外周面に現像されたトナー画像２６ｂに対し、被印刷物１２の方向に向かう静電力を付与する。トナー画像転写部２８は、この静電力により、電子写真感光体２２の外周面からトナー画像２６ｂを剥して、被印刷物１２の被印刷面に転写することで、被印刷物１２の被印刷面に第１色のトナー画像２６ｃを形成する。トナー画像転写部２８は、電子写真感光体２２の外周面において、トナー画像転写部２８が設けられた位置よりも正回転方向の領域を、トナー画像２６ｂが剥がれた状態とする。
【００３９】
第１色印刷部２０は、トナー画像転写部２８により電子写真感光体２２の外周面から直接、被印刷物１２に転写しているが、本発明はこれに限定されることなく、電子写真感光体２２の外周面から、転写ベルトまたは転写ドラムへの転写を介在させて、間接的に被印刷物１２に転写してもよい。
【００４０】
紫外線照射乾燥部２９は、被印刷物１２の搬送経路において、トナー画像転写部２８が設けられた位置よりも下流側の位置に、被印刷物１２の被印刷面と対向して設けられている。図２は、実施形態に係る電子写真プリンタ１０の紫外線照射乾燥部２９の概略構成を示す概略構成図である。紫外線照射乾燥部２９は、図２に示すように、紫外線発光ダイオード２９ａと、放熱基板２９ｂと、紫外線反射板２９ｃとを有する。
【００４１】
紫外線照射乾燥部２９は、紫外線発光ダイオード２９ａを３個有するが、本発明はこれに限定されることなく、１個及び２個有していても、４個以上有していても良い。また、紫外線照射乾燥部２９は、紫外線発光ダイオード２９ａに代えて、あるいは紫外線発光ダイオード２９ａと合わせて、紫外線を含む光を発光するメタルハライドランプ及びキセノンランプが用いられていても良い。紫外線発光ダイオード２９ａは、いずれも、被印刷物１２の被印刷面に向けて設けられており、被印刷物１２の被印刷面に向けて紫外線２９ｄを照射する。紫外線照射乾燥部２９は、紫外線発光ダイオード２９ａが、被印刷物１２の被印刷面の方向に均一に分布されて配置されていることが好ましい。
【００４２】
紫外線発光ダイオード２９ａは、液体トナー２６ａに含まれる紫外線吸収剤の紫外線吸収帯域の一部を含む紫外線照射帯域を含む紫外線２９ｄを照射する。紫外線発光ダイオード２９ａは、いずれも、液体トナー２６ａに含まれる紫外線吸収剤の紫外線吸収帯域と同様の範囲の紫外線照射帯域を含む紫外線２９ｄを照射することが好ましい。また、紫外線発光ダイオード２９ａは、紫外線吸収剤の紫外線吸収帯域の波長中心の波長に応じて、いずれも、紫外線照射帯域の波長中心が３８５ｎｍ以下の紫外線２９ｄを照射することが好ましく、３６５ｎｍ以下の紫外線２９ｄを照射することがより好ましい。
【００４３】
放熱基板２９ｂは、複数の紫外線発光ダイオード２９ａに共通して１個設けられ、紫外線発光ダイオード２９ａにおける、被印刷物１２の被印刷面と対向している側とは反対側に、接触して設けられている。放熱基板２９ｂは、熱伝導性の高いセラミック材料または金属材料を含む基板であり、紫外線発光ダイオード２９ａで発生した熱を放散する。
【００４４】
紫外線反射板２９ｃは、複数の紫外線発光ダイオード２９ａにおける被印刷物１２の被印刷面と対向している側とは反対側を、放熱基板２９ｂよりも外側から覆うように設けられている。紫外線反射板２９ｃは、紫外線発光ダイオード２９ａにおける被印刷物１２の被印刷面と対向している側とは反対側に照射された紫外線２９ｄを反射させ、被印刷物１２の被印刷面の方向へ向ける。
【００４５】
紫外線照射乾燥部２９は、以上のような構成を有するので、トナー画像転写部２８によりトナー画像２６ｃが形成された被印刷物１２の被印刷面に向けて、紫外線２９ｄを照射する。そして、紫外線照射乾燥部２９は、被印刷物１２の被印刷面に、紫外線２９ｄが照射される紫外線照射領域２９ｅを形成する。紫外線照射乾燥部２９は、紫外線２９ｄにより、紫外線照射領域２９ｅを通過するトナー画像２６ｃに含まれる紫外線吸収剤を加熱して、トナー画像２６ｃに含まれる溶媒を蒸発させることで、トナー画像２６ｃを乾燥させて、被印刷物１２の被印刷面に第１色の乾燥トナー画像２６ｄを形成する。
【００４６】
紫外線照射乾燥部２９は、紫外線２９ｄの積算照射エネルギーが６００ｍＪ／ｃｍ２・ｇ以上１００００ｍＪ／ｃｍ２・ｇ以下であることが好ましい。ここで、積算照射エネルギーは、単位面積あたりのトナー画像２６ｃが照射される紫外線２９ｄのエネルギーの積算値のことである。また、紫外線照射乾燥部２９は、紫外線発光ダイオード２９ａが、被印刷物１２が紫外線照射領域２９ｅを通過する時間より短い間隔で紫外線２９ｄを間けつ照射することが好ましい。
【００４７】
第２色印刷部３０は、図１に示すように、電子写真感光体３２と、帯電部３３と、画像露光部３４と、トナー現像部３６と、トナー画像転写部３８と、紫外線照射乾燥部３９とを有する。帯電部３３は、電子写真感光体３２の外周面に向けて放電を起こすことで、電子写真感光体３２の外周面に帯電電荷３３ａを付加する。画像露光部３４は、帯電部３３により帯電電荷３３ａが付加された状態となった電子写真感光体３２の外周面に露光光を照射することで、電子写真感光体３２の外周面に、第２色の画像部分にデータに基づく電荷潜像３４ａを形成する。トナー現像部３６は、画像露光部３４により電子写真感光体３２の外周面に形成された電荷潜像３４ａに液体トナー３６ａを静電吸着させることで、液体トナー３６ａに基づく第２色のトナー画像３６ｂを現像する。トナー画像転写部３８は、電子写真感光体３２の外周面から第２色のトナー画像３６ｂを剥して、被印刷物１２の被印刷面の第１色の乾燥トナー画像２６ｄの上に転写することで、第１色の乾燥トナー画像２６ｄの上に第２色のトナー画像３６ｃを形成する。紫外線照射乾燥部３９は、第２色のトナー画像３６ｃを乾燥させて、第１色の乾燥トナー画像２６ｄの上に第２色の乾燥トナー画像３６ｄを形成する。
【００４８】
第３色印刷部４０は、図１に示すように、電子写真感光体４２と、帯電部４３と、画像露光部４４と、トナー現像部４６と、トナー画像転写部４８と、紫外線照射乾燥部４９とを有する。帯電部４３は、電子写真感光体４２の外周面に向けて放電を起こすことで、電子写真感光体４２の外周面に帯電電荷４３ａを付加する。画像露光部４４は、帯電部４３により帯電電荷４３ａが付加された状態となった電子写真感光体４２の外周面に露光光を照射することで、電子写真感光体４２の外周面に、第３色の画像部分にデータに基づく電荷潜像４４ａを形成する。トナー現像部４６は、画像露光部４４により電子写真感光体４２の外周面に形成された電荷潜像４４ａに液体トナー４６ａを静電吸着させることで、液体トナー４６ａに基づく第３色のトナー画像４６ｂを現像する。トナー画像転写部４８は、電子写真感光体４２の外周面から第３色のトナー画像４６ｂを剥して、被印刷物１２の被印刷面の第２色の乾燥トナー画像３６ｄの上に転写することで、第２色の乾燥トナー画像３６ｄの上に第３色のトナー画像４６ｃを形成する。紫外線照射乾燥部４９は、第３色のトナー画像４６ｃを乾燥させて、第２色の乾燥トナー画像３６ｄの上に第３色の乾燥トナー画像４６ｄを形成する。
【００４９】
第４色印刷部５０は、図１に示すように、電子写真感光体５２と、帯電部５３と、画像露光部５４と、トナー現像部５６と、トナー画像転写部５８と、紫外線照射乾燥部５９とを有する。帯電部５３は、電子写真感光体５２の外周面に向けて放電を起こすことで、電子写真感光体５２の外周面に帯電電荷５３ａを付加する。画像露光部５４は、帯電部５３により帯電電荷５３ａが付加された状態となった電子写真感光体５２の外周面に露光光を照射することで、電子写真感光体５２の外周面に、第４色の画像部分にデータに基づく電荷潜像５４ａを形成する。トナー現像部５６は、画像露光部５４により電子写真感光体５２の外周面に形成された電荷潜像５４ａに液体トナー５６ａを静電吸着させることで、液体トナー５６ａに基づく第４色のトナー画像５６ｂを現像する。トナー画像転写部５８は、電子写真感光体５２の外周面から第４色のトナー画像５６ｂを剥して、被印刷物１２の被印刷面の第３色の乾燥トナー画像４６ｄの上に転写することで、第３色の乾燥トナー画像４６ｄの上に第４色のトナー画像５６ｃを形成する。紫外線照射乾燥部５９は、第４色のトナー画像５６ｃを乾燥させて、第３色の乾燥トナー画像４６ｄの上に第４色の乾燥トナー画像５６ｄを形成する。
【００５０】
図３は、実施形態に係る電子写真プリンタ１０の紫外線照射乾燥部５９及び定着部６０の概略構成を示す概略構成図である。紫外線照射乾燥部５９は、図３に示すように、紫外線発光ダイオード５９ａと、放熱基板５９ｂと、紫外線反射板５９ｃとを有する。
【００５１】
紫外線照射乾燥部５９は、被印刷物１２の被印刷面に順次、第１色の乾燥トナー画像２６ｄ、第２色の乾燥トナー画像３６ｄ及び第３色の乾燥トナー画像４６ｄと、トナー画像転写部５８により第４色のトナー画像５６ｃが形成された被印刷物１２の被印刷面に向けて、紫外線５９ｄを照射する。そして、紫外線照射乾燥部５９は、被印刷物１２の被印刷面に、紫外線５９ｄが照射される紫外線照射領域５９ｅを形成する。紫外線照射乾燥部５９は、紫外線５９ｄにより、紫外線照射領域５９ｅを通過するトナー画像５６ｃに含まれる紫外線吸収剤を加熱して、トナー画像５６ｃに含まれる溶媒を蒸発させることで、トナー画像５６ｃを乾燥させて、被印刷物１２の被印刷面に形成された第３色の乾燥トナー画像４６ｄの上に第４色の乾燥トナー画像５６ｄを形成する。これにより、被印刷物１２は、紫外線照射乾燥部５９によって形成される紫外線照射領域５９ｅを通過することで、被印刷面に順次、第１色の乾燥トナー画像２６ｄ、第２色の乾燥トナー画像３６ｄ、第３色の乾燥トナー画像４６ｄ及び第４色の乾燥トナー画像５６ｄが形成された状態となる。すなわち、被印刷物１２は、被印刷面の上に、乾燥トナー画像２６ｄ、乾燥トナー画像３６ｄ、乾燥トナー画像４６ｄ及び乾燥トナー画像５６ｄを順次含む複合乾燥トナー画像７０ａが形成された状態となる。
【００５２】
定着部６０は、図１及び図３に示すように、被印刷物１２の搬送経路において、紫外線照射乾燥部５９が設けられた位置よりも下流側の位置に設けられている。定着部６０は、一対の加熱ヒータであり、一方が被印刷物１２の被印刷面に近接かつ対向して設けられ、他方が被印刷物１２の被印刷面と反対側の面に近接かつ対向して設けられている。定着部６０は、一対の加熱ヒータに限定されることなく、一般的な加熱装置を適宜用いることができる。定着部６０は、一対の加熱ヒータによって形成された加熱領域６０ａを通過する複合乾燥トナー画像７０ａを、合わせて加熱する。これにより、定着部６０は、加熱領域６０ａにおいて、複合乾燥トナー画像７０ａを１つに合成し、被印刷物１２の被印刷面に印刷画像７０ｂを定着させて、印刷画像７０ｂが印刷された印刷物７０を得る。
【００５３】
定着部６０は、紫外線照射乾燥部２９、紫外線照射乾燥部３９、紫外線照射乾燥部４９及び紫外線照射乾燥部５９に用いられているような紫外線照射装置を用いても良い。定着部６０は、この場合、定着部６０が照射する紫外線を、定着部６０によって形成される紫外線照射領域である加熱領域６０ａを通過する複合乾燥トナー画像７０ａに含まれる紫外線吸収剤に吸収させることで、複合乾燥トナー画像７０ａを合わせて加熱する。
【００５４】
図４は、実施形態に係る印刷方法を示すフローチャートである。図４を用いて、実施形態に係る電子写真プリンタ１０の動作方法の一例である印刷方法を説明する。実施形態に係る印刷方法は、図４に示すように、１色印刷ステップ（ステップＳ１０）と、定着ステップ（ステップＳ２２）とを含む。実施形態に係る印刷方法は、印刷する色の数だけ、すなわち本実施形態の場合では４回の、１色印刷ステップ（ステップＳ１０）を含む。１色印刷ステップ（ステップＳ１０）は、いずれも、帯電ステップ（ステップＳ１２）と、露光ステップ（ステップＳ１４）と、現像ステップ（ステップＳ１６）と、転写ステップ（ステップＳ１８）と、乾燥ステップ（ステップＳ２０）とを含む。
【００５５】
まず、図示しない搬送装置により、所定の搬送経路で被印刷物１２を搬送する。所定の搬送経路で搬送されている被印刷物１２の被印刷面に対し、第１色印刷部２０、第２色印刷部３０、第３色印刷部４０及び第４色印刷部５０が順次、ステップＳ１０を施す。以下において、第１色印刷部２０によって施されるステップＳ１０を中心に説明し、第２色印刷部３０、第３色印刷部４０及び第４色印刷部５０によって施されるステップＳ１０の説明を適宜省略する。
【００５６】
第１色印刷部２０における帯電部２３は、電子写真感光体２２の外周面に向けて放電を起こすことで、電子写真感光体２２の外周面を帯電させて、電子写真感光体２２の外周面に帯電電荷２３ａを付加する（ステップＳ１２）。
【００５７】
ステップＳ１２を施した後、第１色印刷部２０における画像露光部２４は、電気的に接続されている制御部から、フルカラーの画像データに含まれる第１色の画像部分のデータを受信する。画像露光部２４は、制御部から受信した第１色の画像部分のデータに基づいて、帯電部２３により帯電電荷２３ａが付加された状態となった電子写真感光体２２の外周面に露光光を照射する。これにより、画像露光部２４は、電子写真感光体２２の外周面に、第１色の画像部分にデータに基づく電荷潜像２４ａを形成する（ステップＳ１４）。
【００５８】
ステップＳ１４を施した後、第１色印刷部２０におけるトナー現像部２６は、内部の空間に貯留しており、紫外線吸収剤を含む第１色の液体トナー２６ａを、画像露光部２４により電子写真感光体２２の外周面に形成された電荷潜像２４ａに静電吸着させる。これにより、トナー現像部２６は、電子写真感光体２２の外周面に液体トナー２６ａに基づく第１色のトナー画像２６ｂを現像する（ステップＳ１６）。
【００５９】
ステップＳ１６を施した後、第１色印刷部２０におけるトナー画像転写部２８は、電圧を印加することで、電子写真感光体２２の外周面に現像されたトナー画像２６ｂに対し、被印刷物１２の方向に向かう静電力を付与する。トナー画像転写部２８は、この静電力により、電子写真感光体２２の外周面からトナー画像２６ｂを剥して、被印刷物１２の被印刷面に転写する。これにより、トナー画像転写部２８は、被印刷物１２の被印刷面に第１色のトナー画像２６ｃを形成する（ステップＳ１８）。
【００６０】
ステップＳ１８を施した後、第１色印刷部２０における紫外線照射乾燥部２９は、複数の紫外線発光ダイオード２９ａが、トナー画像転写部２８によりトナー画像２６ｃが形成された被印刷物１２の被印刷面に向けて、液体トナー２６ａに含まれる紫外線吸収剤の紫外線吸収帯域の一部を含む紫外線照射帯域を含む紫外線２９ｄを照射する。そして、紫外線照射乾燥部２９は、被印刷物１２の被印刷面に、紫外線２９ｄが照射される紫外線照射領域２９ｅを形成する。紫外線照射乾燥部２９は、紫外線２９ｄにより、紫外線照射領域２９ｅを通過するトナー画像２６ｃに含まれる紫外線吸収剤を加熱して、トナー画像２６ｃに含まれる溶媒を蒸発させる。これにより、紫外線照射乾燥部２９は、トナー画像２６ｃを乾燥させて、被印刷物１２の被印刷面に第１色の乾燥トナー画像２６ｄを形成する（ステップＳ２０）。
【００６１】
このように、第１色印刷部２０は、被印刷物１２の被印刷面に第１色の乾燥トナー画像２６ｄを形成する（ステップＳ１０）。そして、第２色印刷部３０は、上記したステップＳ１２からステップＳ２０と同様の処理を施すことで、被印刷物１２の被印刷面に形成された第１色の乾燥トナー画像２６ｄの上に、第２色の乾燥トナー画像３６ｄを形成する（ステップＳ１０）。さらに、第３色印刷部４０は、上記したステップＳ１２からステップＳ２０と同様の処理を施すことで、被印刷物１２の被印刷面に形成された第２色の乾燥トナー画像３６ｄの上に、第３色の乾燥トナー画像４６ｄを形成する（ステップＳ１０）。さらに、第４色印刷部５０は、上記したステップＳ１２からステップＳ２０と同様の処理を施すことで、被印刷物１２の被印刷面に形成された第３色の乾燥トナー画像４６ｄの上に、第４色の乾燥トナー画像５６ｄを形成する（ステップＳ１０）。このように、第２色印刷部３０、第３色印刷部４０及び第４色印刷部５０によってそれぞれステップＳ１０の処理が施されることで、被印刷物１２の被印刷面の上に、乾燥トナー画像２６ｄ、乾燥トナー画像３６ｄ、乾燥トナー画像４６ｄ及び乾燥トナー画像５６ｄを順次含む複合乾燥トナー画像７０ａを形成する。
【００６２】
全ての色についてステップＳ１０を施した後、定着部６０は、加熱領域６０ａを通過する、被印刷物１２の被印刷面の上に形成された複合乾燥トナー画像７０ａを、合わせて加熱する。これにより、定着部６０は、加熱領域６０ａにおいて、複合乾燥トナー画像７０ａを１つに合成し、被印刷物１２の被印刷面に印刷画像７０ｂを定着させて、印刷画像７０ｂが印刷された印刷物７０を得る（ステップＳ２２）。
【００６３】
電子写真プリンタ１０及びこれによる印刷方法は、以上のような構成を有するため、紫外線を吸収する紫外線吸収剤を含む液体トナー２６ａ，３６ａ，４６ａ，５６ａを電荷潜像に吸着させることでトナー画像２６ｂ，３６ｂ，４６ｂ，５６ｂを現像し、被印刷物１２に転写してトナー画像２６ｃ，３６ｃ，４６ｃ，５６ｃとしてから、液体トナー２６ａ，３６ａ，４６ａ，５６ａにそれぞれ含まれる紫外線吸収剤の紫外線吸収帯域の一部を含む紫外線照射帯域を含む紫外線を照射することで乾燥させて、乾燥トナー画像２６ｄ，３６ｄ，４６ｄ，５６ｄを形成する。このため、電子写真プリンタ１０及びこれによる印刷方法は、着色インクの固形成分の粒子の平均粒径が２．０μｍ以下である液体トナー２６ａ，３６ａ，４６ａ，５６ａを用いて印刷するので、平均粒径が５．５μｍ程度と比較的大きく、ゴロゴロした形状、すなわち球形度が低い形状を有する紛体のトナーを用いる場合と比較して、高画質化が可能になる。
【００６４】
また、電子写真プリンタ１０及びこれによる印刷方法は、全ての光の吸収エネルギー量に対する紫外線吸収帯域における光の吸収エネルギー量の割合である紫外線吸収率が一層の厚みのトナー層で７０％以上であり、紫外線吸収帯域の波長が４００ｎｍ以下に有効な吸収帯を有する液体トナー２６ａ，３６ａ，４６ａ，５６ａを用いて印刷し、紫外線照射乾燥部２９，３９，４９，５９により液体トナー２６ａ，３６ａ，４６ａ，５６ａにそれぞれ含まれる紫外線吸収剤の紫外線吸収帯域の一部を含む紫外線照射帯域を含む紫外線を照射する。このため、電子写真プリンタ１０及びこれによる印刷方法は、紫外線をほとんど吸収しない被印刷物１２をあまり加熱させることなくトナー画像２６ｃ，３６ｃ，４６ｃ，５６ｃを乾燥するので、被印刷物１２の変形を抑制することができる。これにより、電子写真プリンタ１０及びこれによる印刷方法は、紙ジャム等の不具合が生じることを低減することができるとともに、熱によるトナー画像２６ｃ，３６ｃ，４６ｃ，５６ｃの変色を低減することができる。すなわち、電子写真プリンタ１０及びこれによる印刷方法は、被印刷物１２の変形を抑制しつつ、高画質化を可能にする。
【００６５】
電子写真プリンタ１０及びこれによる印刷方法は、好ましくは着色インクの固形成分の粒子の平均粒径が１．５μｍ以下、より好ましくは着色インクの固形成分の粒子の平均粒径が１．０μｍ以下である液体トナー２６ａ，３６ａ，４６ａ，５６ａを用いて印刷する。このため、電子写真プリンタ１０及びこれによる印刷方法は、より高画質化が可能になる。
【００６６】
電子写真プリンタ１０及びこれによる印刷方法は、好ましくは全ての光の吸収エネルギー量に対する紫外線吸収帯域における光の吸収エネルギー量の割合である紫外線吸収率が一層の厚みのトナー層で８０％以上、より好ましくは全ての光の吸収エネルギー量に対する紫外線吸収帯域における光の吸収エネルギー量の割合である紫外線吸収率が一層の厚みのトナー層で９０％以上である液体トナー２６ａ，３６ａ，４６ａ，５６ａを用いて印刷する。このため、電子写真プリンタ１０及びこれによる印刷方法は、より効率よくトナー画像２６ｃ，３６ｃ，４６ｃ，５６ｃを乾燥するので、被印刷物１２の変形をより抑制することができる。
【００６７】
電子写真プリンタ１０及びこれによる印刷方法は、好ましくは紫外線吸収剤の紫外線吸収帯域の波長中心が３８５ｎｍ以下、より好ましくは３６５ｎｍ以下である液体トナー２６ａ，３６ａ，４６ａ，５６ａを用いて、さらに、液体トナー２６ａ，３６ａ，４６ａ，５６ａに応じた紫外線照射帯域の波長中心をもつ紫外線を用いて、印刷する。このため、電子写真プリンタ１０及びこれによる印刷方法は、より被印刷物１２を加熱させることなくトナー画像２６ｃ，３６ｃ，４６ｃ，５６ｃを乾燥するので、被印刷物１２の変形をより抑制することができる。
【００６８】
電子写真プリンタ１０及びこれによる印刷方法は、好ましくは紫外線発光ダイオードが被印刷物１２の被印刷面の方向に均一に分布されて配置されている紫外線照射乾燥部２９，３９，４９，５９を用いて印刷する。このため、電子写真プリンタ１０及びこれによる印刷方法は、トナー画像２６ｃ，３６ｃ，４６ｃ，５６ｃをより均一に加熱して乾燥するので、被印刷物１２の変形をより抑制することができる。
【００６９】
電子写真プリンタ１０及びこれによる印刷方法は、好ましくは積算照射エネルギーが６００ｍＪ／ｃｍ２・ｇ以上１００００ｍＪ／ｃｍ２・ｇ以下である紫外線を用いて印刷する。このため、電子写真プリンタ１０及びこれによる印刷方法は、より被印刷物１２を加熱させることなく、かつ、より効率よくトナー画像２６ｃ，３６ｃ，４６ｃ，５６ｃを乾燥するので、被印刷物１２の変形をより抑制することができる。
【００７０】
電子写真プリンタ１０及びこれによる印刷方法は、好ましくは紫外線照射乾燥部２９，３９，４９，５９が、被印刷物１２が紫外線照射領域を通過する時間より短い間隔で紫外線を間けつ照射することで、トナー画像２６ｃ，３６ｃ，４６ｃ，５６ｃを乾燥する。このため、電子写真プリンタ１０及びこれによる印刷方法は、トナー画像２６ｃ，３６ｃ，４６ｃ，５６ｃの過熱及び放熱損失を防止することができるので、より被印刷物１２を加熱させることなく、かつ、より効率よくトナー画像２６ｃ，３６ｃ，４６ｃ，５６ｃを乾燥することができ、被印刷物１２の変形をより抑制することができる。
【００７１】
電子写真プリンタ１０及びこれによる印刷方法は、それぞれ色ごとに分けて、帯電、露光、現像、転写及び乾燥を施すので、転写の直後に乾燥を施すことができるため、液体トナー２６ａ，３６ａ，４６ａ，５６ａの被印刷物１２への滲みを抑制するとともに、乾燥トナー画像２６ｄ，３６ｄ，４６ｄ，５６ｄの平坦化を図ることができる。また、電子写真プリンタ１０及びこれによる印刷方法は、このため、印刷する色の順序を変更したい場合、印刷する色を変更したい場合及び印刷する色の数を変更したい場合に、簡易に変更をすることができる。
【００７２】
電子写真プリンタ１０及びこれによる印刷方法は、複合乾燥トナー画像７０ａが形成されてから、一度に加熱することで被印刷物１２に印刷画像７０ｂを定着させるので、色ごとの画像に分離した不自然な状態ではなく、一体の多色画像として、自然な見栄えで綺麗に印刷することができる。
【符号の説明】
【００７３】
１０  電子写真プリンタ
１２  被印刷物
２０  第１色印刷部
２２，３２，４２，５２  電子写真感光体
２３，３３，４３，５３  帯電部
２３ａ，３３ａ，４３ａ，５３ａ  帯電電荷
２４，３４，４４，５４  画像露光部
２４ａ，３４ａ，４４ａ，５４ａ  電荷潜像
２６，３６，４６，５６  トナー現像部
２６ａ，３６ａ，４６ａ，５６ａ  液体トナー
２６ｂ，２６ｃ，３６ｂ，３６ｃ，４６ｂ，４６ｃ，５６ｂ，５６ｃ  トナー画像
２６ｄ，３６ｄ，４６ｄ，５６ｄ  乾燥トナー画像
２８，３８，４８，５８  トナー画像転写部
２９，３９，４９，５９  紫外線照射乾燥部
２９ａ，５９ａ  紫外線発光ダイオード
２９ｂ，５９ｂ  放熱基板
２９ｃ，５９ｃ  紫外線反射板
２９ｄ，５９ｄ  紫外線
２９ｅ，５９ｅ  紫外線照射領域
３０  第２色印刷部
４０  第３色印刷部
５０  第４色印刷部
６０  定着部
６０ａ  加熱領域
７０  印刷物
７０ａ  複合乾燥トナー画像
７０ｂ  印刷画像
【図１】
2019020630.tif 000003
【図２】
2019020630.tif 000004
【図３】
2019020630.tif 000005
【図４】
2019020630.tif 000006